(57)【要約】【課題】軟らかい生鮮食料品を傷めることなく収納移送し、収納した状態で展示販売することができることを目的とする。【解決手段】底部及び側壁部とにより収納凹部を形成した透明或いは半透明の薄厚のプラスチック収納容器の２個を、各々の基部側側壁部を対向させて位置させ、各々の収納凹部を側壁上端部に形成した周縁部間に跨って柔軟なネットで全面を被覆し、該基部側側壁部をネットによるヒンジ部として開閉自在とし、各々の収納凹部を被覆するネット間を軟らかな生鮮食料品の保持手段としたことを特徴とする生鮮食料品収納容器【選択図】図４
0003145864.tif 000002
【実用新案登録請求の範囲】
【請求項１】
底部及び側壁部とにより収納凹部を形成した透明或いは半透明の薄厚のプラスチック収納容器の２個を、各々の基部側側壁部を対向させて位置させ、各々の収納凹部を側壁上端部に形成した周縁部間に跨って柔軟なネットで全面を被覆し、該基部側側壁部をネットによるヒンジ部として開閉自在とし、各々の収納凹部を被覆するネット間を軟らかな生鮮食料品の保持手段としたことを特徴とする生鮮食料品収納容器。
【請求項２】
ネットは、薄厚のプラスチック容器の側壁上端部に形成した周縁部に溶着一体化してなることを特徴とする請求項１記載の生鮮食料品収納容器。
【請求項３】
ネットは、高分子ポリエチレン或いは高分子ポリエチレン発泡体よりなる伸縮自在の柔軟な網目としてなることを特徴とする請求項１又は２記載の生鮮食料品収納容器。
【考案の詳細な説明】
【技術分野】
【０００１】
本考案は、イチゴ、サクランボ、ビワ等の青果物或いは魚、肉等の食品等の比較的軟らかな生鮮食料品を潰すことなく固定状態でネット間に収納し、移送及び展示販売するための収納容器に関する。
【背景技術】
【０００２】
従来より、比較的軟らかい青果物や魚、肉等の軟らかな食料品等を傷つけることなく移送するには、容器とは別体の何等かの緩衝材によりそれら生鮮食料品を囲むようにして収納し、容器に伝わる衝撃を緩和するとか、或いは軟らかい材料で凹部を形成した容器内の該凹部に生鮮食料品を載置し、上方部を露出あるいは軟らかい蓋で空間を有して被覆させて外からの衝撃を緩和するとかの手段等により行っている。
【０００３】
上記緩衝材によって囲む手段は、収納に手間がかかり、また、使用後の緩衝材の処理が別途に必要となり、その多くは廃材として破棄され、環境上好ましくなかった。
【０００４】
また、容器の凹部内に生鮮食料品を載置する手段は、搬送時に凹部より飛び出したり、容器を積層状態として搬送する場合には蓋が潰れる等して生鮮食料品が押し潰されることが多かった。
【０００５】
更に、いずれの場合も外気と直接接触する機会が多く、生鮮食料品には劣化が早期に生じるものであった。
【０００６】
他方、下記文献のように、網状体の袋に青果物や野菜を収納する手段が存在するが、それらのものは通気性や透明性には優れているが、外からの衝撃に対しては考慮されていなかった。また、比較的軟らかい生鮮食料品では押し潰されてしまうおそれが多分にあり、従って、タマネギ、ジャガイモ等の硬い青果物を対象とするものであった。
【特許文献１】特開平７−３１５３９１号公報
【特許文献２】特開２００２−４６７５１号公報
【考案の開示】
【考案が解決しようとする課題】
【０００７】
本考案は、上記欠点を解決したもので、軟らかい生鮮食料品を傷めることなく収納移送し、収納した状態のままで展示販売することができる生鮮食料品収納容器を目的とするものである。
【課題を解決するための手段】
【０００８】
底部及び側壁部とにより収納凹部を形成した透明或いは半透明の薄厚のプラスチック収納容器の２個を、各々の基部側側壁部を対向させて位置させ、各々の収納凹部を側壁上端部に形成した周縁部間に跨って柔軟なネットで全面を被覆し、該基部側側壁部をネットによるヒンジ部として開閉自在とし、各々の収納凹部を被覆するネット間を軟らかな生鮮食料品の保持手段とした生鮮食料品収納容器を特徴とする。
【０００９】
また、ネットは、薄厚のプラスチック容器の側壁上端部に形成した周縁部に溶着一体化してなる生鮮食料品収納容器を特徴とする。
【００１０】
更に、ネットは、高分子ポリエチレン或いは高分子ポリエチレン発泡体よりなる伸縮自在の柔軟な網目としてなる生鮮食料品収納容器を特徴とする。
【考案の効果】
【００１１】
本考案の生鮮食料品収納容器は、開放した状態でいずれかの柔軟なネット上に生鮮食料品を載置し、その後、閉鎖することにより柔軟なネット間に生鮮食料品を浮かせて固定した状態で収納することができ、比較的軟らかい生鮮食料品を収納、移送、展示販売することを可能とした。
【００１２】
また、固定手段を柔軟で通気性及び透明性に優れているネットとしたので、生鮮食料品の鮮度を保持し、変色等の劣化を防止し、且つ容器の透明性と合わせて生鮮食料品が外部から可視できることを可能とした。
【００１３】
更に、該生鮮食料品収納容器に対する外部からの衝撃を収納凹部の空間の柔軟なネットにより吸収することができるので、移送時或いは展示販売時での各種衝撃による生鮮食料品の破損を防止できることを可能とした。
【００１４】
また、蓋側及び底側の容器を各々別体として製造し、その両者をネットにより連結することができ、容器を小さく製造することができるし、容器の開閉においてプラスチック特有の戻り現象をなくし、容器の開閉状態の維持が確実となった。
【考案を実施するための最良の形態】
【００１５】
以下、図面を参考に本考案を実施するための最良の形態についてその実施例を説明する。
【実施例１】
【００１６】
本考案の生鮮食料品収納容器１は、比較的軟らかいイチゴ、サクランボ、ビワ等の青果物やプチトマト等の生野菜或いは魚やその切身、更に肉片等の食品（以下、それらを総称して生鮮食料品という）をネット間に収納し、移送し、そしてそのまま展示販売することを可能としたもので、透明或いは半透明のプラスチック容器及びネットとより構成されている。
【００１７】
図１に示すように、該生鮮食料品収納容器１は、底側容器２と蓋側容器３とよりなり、両者はその各々の側壁の１つとなる基部側側壁部を対向する位置に配置し、両者間に跨るようにして柔軟なネット４で被覆連結し、該連結部のネット４を蝶番５として開閉自在に形成している。
【００１８】
該底側容器２は、底部６と四方の側壁７とにより凹部８を形成し、側壁７の上縁部には外方へ突出した偏平状の周縁部９を形成している。
【００１９】
他方、蓋側容器３は、上記底側容器２と同様、底部１０と四方の側壁１１とより凹部１２を形成し、側壁１１の上端部には外方へ突出した周縁部１３を形成している。
【００２０】
上記底側容器２の周縁部９及び蓋側容器３の周縁部１３間にわたって各々の凹部８、１２の空間の表面側全面を覆うようにして高分子ポリエチレン或いは該高分子ポリエチレンの発泡体等よりなる柔軟なネット４を被覆する。
【００２１】
上記柔軟なネット４は、目の細かいものから或る程度広いものまで使用できる。具体的には、目の形状が四角形、菱形或いは六角形等の多角形のもの等で、その目の大きさも１辺が０．５ｍｍ〜１０．０ｍｍのものが好ましい。商品名ネトロン（登録商標）のような材料も使用できる。
【００２２】
上記状態の柔軟なネット４を底側容器２の周縁部９及び蓋側容器３の周縁部１３に各々固定することになるが、容器をポリエチレン製のもの等を採用することにより製造時において熱による溶着で一体固定することができる。
【００２３】
本考案の生鮮食料品収納容器は、底側容器２及び蓋側容器３の側壁７、１１の内、基部側側壁部７ａ、１１ａの中央部を内側へやや突出させ、その両端側を外側へ突出させて突出部７ｂ、１１ｂとしている。従って、開放時には該突出部７ｂ、１１ｂが当接して約１８０°に開いた状態で係止させることができる。また、ネット４は、その内側の位置で蝶番５となるように折り曲げ自在とされるので、上記当接による影響がネット４に及ばないように形成されている。
【００２４】
更に、ネット４により蝶番５が形成されているので、閉鎖時には蓋側或いは底側容器の戻り現象がなく、その状態を保持することが可能である。また、必要により何等かの係止手段を直接又は間接的に設けることは容易にできる。
【図面の簡単な説明】
【００２５】
【図１】本考案の生鮮食料品収納容器を半開放状態とした側断面図。
【図２】本考案の生鮮食料品収納容器を閉鎖した状態の平面図。
【図３】本考案の生鮮食料品収納容器を開放した状態の平面図。
【図４】本考案の生鮮食料品収納容器に球状のものを収納した状態を示す側断面図。
【符号の説明】
【００２６】
１          生鮮食料品収納容器
２          底側容器
３          蓋側容器
４          ネット
５          蝶番
６、１０    底部
７、１１    側壁
８、１２    凹部
９、１３    周縁部
【図１】
0003145864.tif 000003
【図２】
0003145864.tif 000004
【図３】
0003145864.tif 000005
【図４】
0003145864.tif 000006